(57)【特許請求の範囲】
【請求項１】
基台と、前記基台の平面に対して垂直に前記基台から突出するハンドルと、質量中心とを備えた細動除去器パドルを保持する保持器組立体であって、前記細動除去器パドルを滑動可能に受けて、前記保持器組立体が所定の大きさの保持力で前記保持器組立体に対して外向き移動に対抗する状態で前記細動除去器パドルを保持する保持手段を備えている保持器組立体において、前記保持手段が、
−内側部分、外側部分、および前側、を備えた後板と、
−前記後板に取り付けられ、前記細動除去器パドルの前記基台の縁を滑動可能に受けるスロットを形成する、前記後板の前記前側にあるブラケットと、
−前記後板の前記外側部分にあって前記後板の前記前側から突出し、前記細動除去器パドルがスロット内にあるとき前記細動除去器パドルの前記基台の反対の縁に係合するリップと、
−前記保持力より小さい大きさの引出し力で前記ハンドルを外向きに引っ張って作動させることができ、前記細動除去器パドルを前記保持器組立体から引き出すことができるようにする解放手段とを備えており、前記解放手段が、前記後板を前記保持器組立体の後壁に旋回可能に取付ける手段であって、ユーザが前記ハンドルを充分な力で外向きに引っ張ると、前記ブラケットに前向きの力が加わり、前記後板の前記内側部分が、前記後壁に対して前方に撓み、前記リップが設けられる前記後板の前記外側部分の一部が、前記後壁に対して後方に撓み、前記後壁の凹所に突入し、前記リップが、前記細動除去器パドルの前記基台の前記反対の縁との係合から解放され、前記保持器組立体からの前記細動除去器パドルの取り外しが可能になるように、前記後板を前記保持器組立体の前記後壁に旋回可能に取付ける手段を備えていることを特徴とする保持器組立体。
【請求項２】
前記後板の外側部分には前記リップに垂直な一対の平行スリットがあり、前記後板の前記外側部分の一部は、前記平行スリットにより二つの静止側方部分から分離される中心タブであり、前記タブが、前記後壁に対して後方に撓み、前記凹所の中に突入するとき前記側方部分が静止したままである請求項１に記載の保持器組立体。
【請求項３】
前記側方部分は前記後壁の外側部分の上に横たわり、前記後板は、少なくとも一つの前記側方部分を貫いて前記後壁の前記外側部分の中に突入している少なくとも一つのファスナにより前記後壁に旋回可能に取付けられている請求項２に記載の保持器組立体。
【請求項４】
前記後板の対向する横縁に互いに隔てて設けられた二つの前記ブラケットが存在する請求項１に記載の保持器組立体。
【請求項５】
更に、前記ブラケットにより形成された前記スロットの中に設けられて前記パドルの前記基台と摩擦係合する電気接点を備えている請求項１に記載の保持器組立体。
【請求項６】
更に、前記電気接点から前記後壁に突出して前記パドルが前記スロットの中にある間に前記パドルを電気的に試験する柔軟導電部材を備えている請求項５に記載の保持器組立体。
【発明の詳細な説明】
【０００１】
【発明の利用分野】
本発明は一般に手持ち装置を保持するホルダーに関する。特に、本発明は細動除去器パドルを保持する保持器である。
【０００２】
【従来の技術】
細動除去器は人間の胸の区域に電気衝撃を加えて心搏を開始させる装置である。細動除去器はハウジング内部に電気回路を、および電気コードにより接続された二つのパドルを備えている。パドルは、しばしば緊急状態のもとで使用されるので、急速且つ容易に引き出すことができるようにする機構によりハウジングのポケットに保持されている。細動除去器はカートに取付けることができ、または手で支持する形式のものとすることができる。
【０００３】
更に詳細に述べれば、典型的な従来技術の細動除去器パドルのポケットにはパドルの基台の一部を受ける一対の平行な保持器ブラケットの付いた後壁がある。ばねが基台と係合し、基台を保持器板に対して押し、パドルをスロット内に摩擦保持する。パドルは後壁に平行に真っすぐ外向きに引っ張ることにより取り外される。ばねは保持力が非常に高くはなく、好適にはパドルを引き出すのに必要な力に等しいような大きさになっている。手支持細動除去器の場合には、引き出し力は細動除去器の重量より小さくして、パドルを取り外すとき製品全体を拾いあげることがないようにしなければならない。引き出し力を低く維持すれば保持力も強制的に低くなる。これではパドルを確実に保持することができない。このことは細動除去器を手で支持しなければならない環境で特に問題である。パドルが確実に保持されていないと輸送中細動除去器がぶつかるとき容易に抜け落ちる可能性がある。
【０００４】
【発明の概要】
細動除去器パドル保持器組立体はポケットの後壁に旋回可能に固定されている弾力性保持器後板を備えている。一対のブラケットが後板に設置されて、細動除去器パドルの基台の縁を受けるスロットを形成している。リップも保持器後板に設けられてパドルの基台の反対の縁に噛み付いてパドルをスロットに保持している。
【０００５】
ハンドルを引き出し方向に充分な力で引っ張ると保持器の後板が弾力的に撓む。ブラケットが付いている保持器の部分が後壁から遠くに一方向に移動し、その間リップは反対方向に押されて、旋回点の周りを回転する。これによりリップがパドル基台の縁との係合から解放され、パドルを取り外すことができる。保持器組立体はパドルに低い引き出し力および高い保持力を提供する。
【０００６】
【好適な実施例の詳細な説明】
図１および図２に典型的な従来技術の細動除去器11を示す。細動除去器11は手支持形式のものであり、ハウジング13およびハンドル15を備えている。一対のポケット17がハウジング13の反対側に形成されている。パドル19は各ポケット17の中に支持されている。各パドル19は平らな基台21および基台21から基台21の平面に垂直に突出するハンドル23を備えている。
【０００７】
図２を参照すると、ポケット17の後壁25にパドル基台21の一部を受ける一対の静止して設置されているブラケット27（一つだけを図示してある）がある。ばね29が基台21に係合してパドル19をブラケット27により形成されたスロットの中に摩擦保持している。図２は矢印で保持力ＦＲおよび引き出し力ＦＷを示している。参照のためだけであるが、図面で上向きに示してある、ＦＲおよびＦＷの方向を本書では「外向き」と考えるが、反対のまたは下向き方向は「内向き」である。後壁25が面している方向を「前向き」方向と考えるが、反対方向を「後向き」方向と考える。
【０００８】
摩擦ばね29は保持力ＦＲが非常に高くはなく、一般に引き出し力ＦＷに等しいような大きさになっている。保持力ＦＲはハウジング13が支持されている間に衝撃を受けたときパドル19がポケット17から抜け出すのに必要な力であり、図示のように、質量の中心を通って作用する。引き出し力は正常使用中パドル19を取り外すのに必要な力であり、ユーザがハンドル23を掴むことによりパドル19が真っすぐ外向きに持ち上げられるにつれて発生する。引き出し力ＦＷはパドル19が図１で矢印により示したように取り外されるとき製品全体を拾いあげないように細動除去器11の重量より小さくなければならない。これにより必然的に保持力ＦＲが低くなり、このため細動除去器11を支持している間にパドル19が抜け出す可能性があるという欠点がある。
【０００９】
図１０は本発明にしたがって構成された細動除去器を示す。細動除去器にはハウジング30の反対側に形成された一対のポケット31の付いたハウジング30がある。図示したパドル19は図１および図２に示した従来技術の細動除去器11のパドル19と同一である。
【００１０】
図３−図５を参照すると、ポケット31は一対の横方向の対向する平行壁33を備えた空洞である。壁33は内壁35から外向きに突出している。図５を参照すると、ポケット31は内壁35におよび横壁33にも垂直な後壁37を備えている。後壁37には外棚38および中央凹所39がある。凹所39は外棚38から内壁35の方に広がり、棚41で内壁35までの約半分の距離で終わっている。
【００１１】
電気ストリップスリット43は、やはり中心に設けられているが、凹所の棚41から内壁35まで延びている。凹所39および電気ストリップスリット43は長方形である。凹所39の幅は電気ストリップスリット43より大きく、深さは電気ストリップスリット43の深さより大きい。電気ストリップ45は、平らで、弾力性がある導電金属ストリップであるが、電気ストリップスリット43の中に設置されている。電気ストリップ45には上方の棚41に対して90°で曲がっている外端があり、そこで、ストリップ45は小ねじ47により固定されている。電気接点スロット43にはクリップの形状をした電気接点46がある。電線が、図示してないが、小ねじ47に取付けられて、パドル19がポケット31に設置されたときそれを電気的に試験する。
【００１２】
なおも図５を参照すると、保持器の後板51が後壁37に取付けられている。後板51の寸法は実質上後壁37と同じである。後板51にはその外縁に後板51の残りの部分に対して90°の角を成す外側フランジ53がある。外側フランジ53は後壁外棚38の上にある。一対の平行スリット55が外側フランジ53から内壁35の方に延びている。スリット55は後板51の外側部分を後板51の一方の横縁63から他の横縁までほぼ３等分するように横方向に間を隔てて設けられている。スリット55は外側フランジ53に垂直であり、後板51の内縁57までの距離の約半分だけの長さがある。これは、スリット55間にタブ56を、また、タブ56の横側の各々に静止側方部分58を、形成する。
【００１３】
後板51はプラスチックのような弾力性ある柔軟な金属材料から作られ、タブ56が側方部分58に対して後向きに曲がることができるようにしている。リップ59がタブ56の外縁に設けられ、タブ56の幅一杯に広がっている。リップ59は前方向に短い距離だけ延びている。タブ56の幅は後壁37の凹所39の幅と実質上同じであるから、タブ56は、図８に示すように、後方に凹所39の中に曲がることができる。タブ56が後向きに充分撓むと、リップ59は実質上側方部分58と同一面となる位置まで引っ込む。
【００１４】
一対の止め金またはブラケット61が後板51と一体に形成されており、各ブラケット61は各側縁63に設けられ、後板51から後方に短い距離突出している。各ブラケット61は内縁57から外棚53に向かって、内縁57から外側棚53までの全距離の半分より幾らか少ない距離だけ突出している。各ブラケット61は後板51から前方に突出し、45°の角度で傾いているその外端に案内部分64を備えている。ブラケット61は図７に示すように、パドル19の基台21の内側部分を受けるスロットを提供する。各ブラケット61にはパドル基台21の支持体となる内縁57に支持部分がある。
【００１５】
後板51は、小ねじであるように示してある一対のファスナ67により後壁37に旋回可能に取付けられている。ファスナ67は後板51の穴69を貫いて後壁37の中に突出している。穴69は側方部分58に、内縁57と外棚53との間のほぼ中間部に、ただし内縁57よりわずかに外棚53に近く設けられている。後板51の内側部分は、内縁57から各スリット55のほぼ根元まで広がっている部分であるが、後壁37に取付けるものが全く無いので、図８に示すように前向きに撓むことになる。後板51の外側部分は、外棚53からスリット55のほぼ根元まで広がっているが、ファスナ67によってだけ後壁37に固定されている。ファスナ67は側方部分58を後壁37と静止接触したままにしておく。後板51の内側部分に対する旋回点は後板51のほぼ中間点、ファスナ67のわずか下にある。旋回点は精密に一点ではなく、後板51の内側部分が図９に示すように側方部分58に対して曲がるとき緩やかな曲がり半径を構成している。
【００１６】
ポケット31を組立てるには、電気ストリップ45を小ねじ47により電気ストリップスロット43の中に固定する。後板51を後壁37と接触させ、小ねじ67により固定する。電気ストリップ45の電気接点46は後板51の内縁57にある開口71に設けられた小さいタブまたは止め金72の上を滑ることになる。止め金72は後板51が撓むとき電気接点46を開口71に対して静止したままにしておく。
【００１７】
使用にあたり、パドル19は基台21を全般に後板51に平行な向きにし、内向きに滑らせることによりポケット31の中に設置する。基台21の内側部分はブラケット61により形成されたスロットに滑入する。内向きに滑りながら、後板51は旋回点の周りに撓み、リツプ59が凹所39の中に移動する。パドル19が図６に示すように、その格納位置に移動してしまうと、リツプ59は前向きに噛み付き、基台21の外縁の上に横たわる。電気接点46はパドル19の導電基台21と摩擦係合する。これによりパドル19を、ポケット31に入っている間に、試験電圧を金属ストリップ45に供給することにより電気的に試験することができる。
【００１８】
図７に示すように、パドル19はリップ59および後板51の弾力により外向き移動に対して確実に保持される。電気接点46は非常にわずかな摩擦力を加えてパドル19をスロット内に保持する。ハンドル23がポケット31から前向きに突出している。パドル19の軸は基台21に垂直にハンドル23を通って前向きに延びている。数字73はハンドル23の中心を示すが、数字75はパドル19の質量の中心を示す。寸法Ｘは質量中心75から後壁37までの距離である。寸法Ｙはハンドルの中心線73から後壁37までの距離である。距離Ｚは旋回点から後板51の内縁57までの距離である。記号ＦＳは後板51の弾力の力を示し、図８に示す撓みに抵抗する傾向がある。ＦＳは後向きに作用する。ＦＲは細動除去器ハウジング30（図１０）に衝撃を与えることによりパドル19をポケット31から追い出す傾向がある保持力であり、質量中心75を通して作用する。引き出し力ＦＷは、これも外向きに作用するが、ハンドル中心線73を通して作用する。基本方程式は次のとおりである。
ＦＲ×Ｘ＝ＦＳ×Ｚ    パドル保持に関して
ＦＷ×Ｙ＝ＦＳ×Ｚ    パドル引き出しに関して
ＦＲ×Ｘ＝ＦＷ×Ｙ
ＦＲ＝ＦＷ×Ｙ／Ｘ
【００１９】
ＹはＸより大きいから、保持力ＦＲは引き出し力ＦＷより大きい。これは保持力が一般に引き出し力に等しい図１および図２に示す従来技術とは異なる。
【００２０】
細動除去器ハウジング30（図１０）のポケット31からパドル19を取り外すには、ユーザは両ハンドル23を、各手で一つづつ、掴んで、ＦＷで示すように一致して外側に引っ張る。リップ59、後板51の旋回取付け、およびＦＷ×Ｙにより加えられるモーメントのため、この引っ張りにより後板51は、図８および図９に示すように、旋回点の周りに旋回する。パドル基台21の内側部分はブラケット61に前向きの力を加え、後板51の内縁57を後壁37から前方に押す。タブ56は、後壁37によって制約されていないので、内向きに凹所39の中に撓む。タブ56は後板51の内側部分と同じ平面内に実質上留まる。ファスナ67の上の側方部分58は、凹所39の各側にある後壁37の外側部分の上にあってこれと接触しているから、静止したままである。内縁57からファスナ67までの後板51の内側部分は、図９に示すように、ファスナ67で曲がり、前方に撓む。タブ56の撓みはリップ59を、その前縁が側方部分58と同一面を成す一点に引っ込める。これによりリップ59が台板21の外縁との上方接触から解放され、パドル19を自由に取り外すことができるようにする。取り外し中、電気接点46は後板内縁57と共に前方に移動し、金属ストリップ45は曲がって、電気接点スロット43から前方に移動する。
【００２１】
細動除去器パドルの他に、説明したような保持器組立体は、コードレスねじ回し、錐、などのような、他の形式の道具を保持するのに使用することができる。
【図面の簡単な説明】
【図１】  従来技術の細動除去器を示す斜視図である。
【図２】  図１の線２−２に沿って取った図１の細動除去器の部分断面図である。
【図３】  本発明の好適実施例のよる細動除去器パドル保持器組立体の斜視図である。
【図４】  図３の保持器組立体の前面立面図である。
【図５】  図３の保持器組立体の破断斜視図である。
【図６】  図３の保持器組立体の斜視図であり、その中に設置された細動除去器パドルを示している。
【図７】  図４の線７−７に沿って取った図３の保持器組立体の断面図であり、細動除去器パドルが保管位置にある状態を示している。
【図８】  図３の保持器組立体の図７と同様の断面図であるが、細動除去器パドルが取り外される過程にあるところを示している。
【図９】  図４の線９−９に沿って取った図３の保持器組立体の断面図であり、細動除去器パドルが取り外される過程にある状態を示している。
【図１０】  本発明の好適実施例のパドル保持器組立体を備えた細動除去器を示す斜視図である。
【符号の説明】
19 細動除去器パドル
21 パドルの基台
23 ハンドル
31 保持器組立体
37 保持器組立体の後壁
39 凹所
45 導電部材
46 電気接点
51 後板
57 後板の内側部分
58 静止側方部分
59 リップ
61 ブラケット
63 横縁
64 スロット
【図１】
0003933220.tif 000002
【図２】
0003933220.tif 000003
【図３】
0003933220.tif 000004
【図４】
0003933220.tif 000005
【図５】
0003933220.tif 000006
【図６】
0003933220.tif 000007
【図７】
0003933220.tif 000008
【図８】
0003933220.tif 000009
【図９】
0003933220.tif 000010
【図１０】
0003933220.tif 000011